(57)【要約】【課題】撮像装置を用いて画像編集を行うユーザにとって使い勝手の良い操作性を実現する。【解決手段】撮像装置本体の表示部に表示された画像データに対して行われる画像効果の種類が撮像装置本体の画像効果指示部より指示されるとともに、表示部に表示された画像データに対して拡大若しくは縮小を指示できる撮像装置本体の拡大・縮小操作部により、上記表示された画像データに対する画像編集領域の範囲が指定されるようにする。そして、拡大・縮小操作部により範囲が指定された画像編集領域に対して、画像効果指示部からの指示に基づき画像加工処理が行われるようにする。【選択図】図３
2008187381.tif 000002
【特許請求の範囲】
【請求項１】
撮像素子と、
前記撮像素子により取得した画像を含む画像データを記憶する第１記憶部と、
前記第１記憶部に記憶されている画像データを表示する表示部と、
前記表示部に表示された画像データに対して行われる画像効果の種類を指定する画像効果指示部と、
前記表示部に表示された画像データに対して拡大及び縮小を指示できるとともに、前記表示された画像データに対して画像編集領域の範囲を指定する拡大・縮小操作部と、
前記拡大・縮小操作部により指定された画像編集領域に対して、前記画像効果指示部からの指示に従い画像加工処理を行う画像加工処理部、を備える
ことを特徴とする撮像装置。
【請求項２】
前記画像加工処理部による画像加工処理後の画像データの記憶を指示するための記憶指示部と、
前記記憶指示部の指示に基づき前記画像加工処理後の画像データを第２記憶部に記憶させる制御部、を備える
ことを特徴とする請求項１に記載の撮像装置。
【請求項３】
前記第１記憶部は主記憶装置であり、
前記第２記憶部は外部記憶装置である
ことを特徴とする請求項２に記載の撮像装置。
【請求項４】
前記表示部に表示された画像データに対して、前記拡大・縮小操作部により指定された画像編集領域の枠線を表示する
ことを特徴とする請求項１に記載の撮像装置。
【請求項５】
前記表示部に表示された画像データに対する画像編集領域の位置を指定する編集領域位置指定部、を備え、
前記編集領域位置指定部が前記画像効果指示部を兼ねる
ことを特徴とする請求項２に記載の撮像装置。
【請求項６】
前記編集領域位置指定部によって前記画像データに対する画像編集領域の位置が指定された後、前記編集領域位置指定部に前記画像効果の強さを指示する機能が割り当てられ、前記編集領域位置指定部から指示された画像効果の強さに基づいて前記画像データの画像編集領域に対する画像効果が施される
ことを特徴とする請求項５に記載の撮像装置。
【請求項７】
前記編集領域位置指定部によって前記画像データに対する画像編集領域の位置が指定された後、前記画像効果の強さを利用者に選択させて段階的に調整するためのソフトキーを前記画像データに重ねて前記表示部に表示し、
前記画像加工処理部は前記ソフトキーを介した前記編集領域位置指定部から指示された画像効果の強さに基づいて前記画像データの画像編集領域に対する画像効果を施す
ことを特徴とする請求項５に記載の撮像装置。
【請求項８】
前記編集領域位置指定部は方向指示キーである
ことを特徴とする請求項５に記載の撮像装置。
【請求項９】
撮像装置本体の表示部に画像データを表示するステップと、
前記表示部に表示された画像データに対して行われる画像効果の種類が撮像装置本体の画像効果指示部より指示されるステップと、
前記表示部に表示された画像データに対して拡大及び縮小を指示できる撮像装置本体の拡大・縮小操作部により、前記表示された画像データに対する画像編集領域の範囲が指定されるステップと、
前記拡大・縮小操作部により範囲が指定された画像編集領域に対して、前記画像効果指示部からの指示に基づき画像加工処理が行われるステップ、を含む
ことを特徴とする画像編集方法。
【請求項１０】
撮像装置本体の表示部に画像データを表示する機能と、
前記表示部に表示された画像データに対して行われる画像効果の種類を撮像装置本体の画像効果指示部より指示する機能と、
前記表示部に表示された画像データに対して拡大及び縮小を指示できる撮像装置本体の拡大・縮小操作部により、前記表示された画像データに対して画像編集領域の範囲を指定する機能と、
前記範囲が指定された画像編集領域に対して、前記画像効果指示部からの指示に従い画像加工処理を行う機能、
を撮像装置内のコンピュータに実現させるためのプログラム。
【発明の詳細な説明】
【技術分野】
【０００１】
本発明は、撮像装置、画像編集方法及びプログラムに関し、特に、撮影した画像を撮像装置本体のモニタ上で編集するのに好適な撮像装置、画像編集方法及びプログラムに係わる。
【背景技術】
【０００２】
従来、パーソナルコンピュータを使用しないで、デジタルスチルカメラで撮影した画像を印刷する方法として、ＤＰＯＦ(Digital Print Order Format)やPictBridgeなどを利用して行う方法が知られている。これらのフォーマットでは、複数の画像を単純に既定の位置に割り付け、デジタルスチルカメラに接続したプリンタを用いて印刷するというものである。しかし、ユーザの所望のレイアウトの画像を作成することができなかった。
【０００３】
そこで、デジタルスチルカメラ単体で撮影画像を所望のレイアウトに配置する編集を容易に行うことが可能な撮像装置が提案されている（例えば、特許文献１参照。）。
【０００４】
【特許文献１】特開２００６−１１５０４４号公報
【発明の開示】
【発明が解決しようとする課題】
【０００５】
ところで、編集加工の際に使用するパラメータとして、編集加工の種類の設定、編集加工の度合い（強さ、レベルなどともいう）の設定、編集加工する対象範囲の位置の設定、範囲の大きさの設定などが必要とされ、特許文献１に記載のものを含め一般的には十字キーを使用して操作されており、操作ステップが多く、複雑で分かりにくい操作性となっている。
【０００６】
本発明は斯かる点に鑑みてなされたものであり、撮像装置に設置されているズームキーを利用してユーザにとって使い勝手の良い操作性を実現することを目的とする。
【課題を解決するための手段】
【０００７】
上記課題を解決するため、本発明は、撮像装置本体の表示部に表示された画像データに対して行われる画像効果の種類が撮像装置本体の画像効果指示部より指示されるとともに、表示部に表示された画像データに対して拡大若しくは縮小を指示できる撮像装置本体の拡大・縮小操作部により、上記表示された画像データに対する画像編集領域の範囲が指定されるようにする。そして、拡大・縮小操作部により範囲が指定された画像編集領域に対して、画像効果指示部からの指示に基づき画像加工処理が行われるようにする。
【０００８】
上記構成によれば、撮像装置本体に設けられた拡大・縮小操作部により画像データに対する画像編集領域の範囲が指定されるようにしたので、直感的でユーザにとって非常に分かりやすい操作性が実現できる。
【発明の効果】
【０００９】
本発明によれば、撮像装置を使用して画像の編集を行うユーザにとって使い勝手の良い操作性を実現できる。
【発明を実施するための最良の形態】
【００１０】
以下、本発明の一実施形態の例について、添付図面を参照しながら説明する。
【００１１】
図１に、本発明の撮像装置の一実施形態によるデジタルスチルカメラの構成の一例を示す。本実施形態は、社団法人 電子情報技術産業協会(JEITA:JapanElectronics and Information Technology industries Association)の規格として定められている現在の標準的なデジタルスチルカメラの規格に準拠したものである。
【００１２】
すなわち、本実施形態は、ＤＣＦ(Design rule for Camera File System)のファイルシステムの規格に準拠し、Ｅｘｉｆ(Exchangeable image file format for digital still/camera)のファイルフォーマットの規格に準拠したものである。ＪＰＥＧ（Joint Photographic Expert Group）ファイルフォーマットには、アプリケーションマーカセグメントという領域が定義されており、アプリケーション固有の情報を格納できるようにされている。Ｅｘｉｆファイルフォーマットは、この領域にＥｘｉｆ独自の情報を格納している。
【００１３】
図１において、破線で囲んだ処理部１は、ＣＰＵ(Central Processing Unit)２によって制御される部分である。この処理部１は、ＲＡＭ（Random Access Memory）等の内部記録媒体３（主記憶装置）、画像処理部４、外部インターフェース５、ＲＧＢ処理部６、信号処理部７及びビデオ出力処理部８によって構成されている。ＣＰＵ２は、図示しないＲＯＭ（Read Only Memory）を備え、内部記録媒体３をワークエリアとして使用しながらＲＯＭに記録された画像編集プログラム等の各種プログラムに従って制御及び演算を実行する。ＣＰＵ２に対してインターフェース（図示略）を介して操作部９が接続され、操作部９に設けられたシャッターボタン等の操作に応じた信号がＣＰＵ２に供給される。
【００１４】
さらに、メディア処理部１０を介して外部記録媒体１１（外部記憶装置）に対して撮像信号をＪＰＥＧ（Joint Photographic Experts Group)等で圧縮したデータを記録するようになされている。外部記録媒体１１は、書き込み可能な光ディスクやメモリカード等の着脱可能な記録媒体、あるいはフラッシュメモリやハードディスクのような撮像装置本体に内蔵の不揮発性メモリが用いられる。
【００１５】
信号処理部７には、撮像素子としてのＣＣＤ（Charge Coupled Device)１２からの撮像信号が供給され、撮像信号の処理がなされる。操作部９からの入力の有無と無関係に、ＣＣＤ１２により撮像された画像信号が信号処理部７から出力され、内部記録媒体３に保存される。撮影中では、内部記録媒体３の画像が常に更新されている。内部記録媒体３のデータの書き込み、読み出し等は、ＣＰＵ２によって制御される。
【００１６】
内部記録媒体３からの撮像信号が信号処理部７を通ってＲＧＢ処理部６に供給され、ＲＧＢ処理部６で形成された表示信号が表示装置（表示部）としてのＬＣＤ（Liquid Crystal Display；液晶パネルディスプレイ)１３に供給される。ＬＣＤ１３は、例えばカメラ本体の背面に設けられたものである。ＬＣＤ１３には、撮像信号のみならず、外部記録媒体１１からメディア処理部１０を介して取り込まれた画像信号も表示される。
【００１７】
操作部９のシャッターボタンが押された場合には、内部記録媒体３に取り込まれた撮像信号が画像処理部４において、ＪＰＥＧ等の画像ファイルに変換される。画像ファイルは、内部記録媒体３に撮像信号とは別のデータとして保存される。そして、ＣＰＵ２の制御によって、内部記録媒体３から読み出された画像ファイルがメディア処理部１０を介して外部記録媒体１１に保存される。
【００１８】
ＬＣＤ１３には常に更新された再生画像が表示される。再生画像に対して、記録済みの画像データの縮小画像、アイコン等のソフトキーなどのＯＳＤデータが信号処理部７で重ね合わされて、ＬＣＤ１３に表示される。ＯＳＤ(On Screen Display)とは、デジタルスチルカメラのＣＣＤ１２から取り込んだリアルタイムの画像に重ねて表示するアイコン等のデータを準備するためのメモリ領域や、仕組みを総称する用語である。
【００１９】
ＯＳＤデータを作成する際には、外部記録媒体１１に既に記録されている最新の画像データを取得し、画像処理部４によって、ＯＳＤ表示に適したサイズに変換してから、内部記録媒体３のＯＳＤ表示エリアに記憶する。但し、直前に撮影した画像のＯＳＤ表示に適したサイズの画像が内部記録媒体３に存在するときには、外部記録媒体１１からデータを取得する必要がない。画像処理部４は画像加工処理部として機能し、操作部９におけるユーザのキー等の操作に応答して、表示する画像の拡大又は縮小の処理、並びに画像の編集・加工等を行うように、ＣＰＵ２によって制御される。
【００２０】
ビデオ出力処理部８から図示しない映像出力端子には、アナログのカラービデオ信号が取り出される。映像出力端子に対して外部モニタ１４を接続した場合には、内部記録媒体３又は外部記録媒体１１に蓄積されている画像を外部モニタ１４によって表示することができる。さらに、外部インターフェース５には、例えばプリンタ１５が接続され、画像を印刷することが可能とされている。
【００２１】
操作部９には、シャッターボタン、ズームキー、十字キー等が含まれている。図２に、本発明による撮像装置の一例であるデジタルスチルカメラ２０の操作パネルの一例を示す。図２において、デジタルスチルカメラ２０の一面にＬＣＤ１３の表示画面とともに、ズームキー２１（拡大・縮小操作部）、メニューキー２２、十字キー２３（画像効果指示部、編集領域位置指定部）、決定キー２４が設定されている。
【００２２】
ズームキー２１は、撮影時のデジタルズーム又は光学ズームを調整するものである。デジタルズームの調整キーとして機能するときは、ワイド（広角）キー２１Ｗ又はテレ（望遠）キー２１Ｔを操作することで、ＣＣＤ１３により撮像されてＬＣＤ１３に表示された画像の拡大表示又は縮小表示を切り換えることができる。また、光学ズームとして機能するときは、ワイド（広角）キー２１Ｗ又はテレ（望遠）キー２１Ｔを操作することで、ＣＣＤ１３と図示しないレンズ間の焦点距離を変化させて望遠・広角を切り替え、ＣＣＤ１３に投影される像の拡大・縮小を切り換えることができる。さらにズームキー２１のワイドキー２１Ｗ又はテレキー２１Ｔは、ＬＣＤ１３に表示された画像に対して画像効果を実施したい画像編集領域の範囲を指定することができる。
【００２３】
十字キー２３は、十字形の操作キーの各先端部（それぞれ、上キー２３Ｕ、下キー２３Ｄ、左キー２３Ｌ、右キー２３Ｒと称する）を押すことによってＬＣＤ１３に表示されたカーソルの移動方向を上下左右の何れかの方向に指定する方向指示キーである。この十字キー２３の方向指示キーとしての機能を利用して、画像データに対する画像編集領域の位置の指定、上記ズームキー２１により指定された画像編集領域に対する画像効果の種類の指定、その効果の強さの調整などを行うことができる。なお、方向指示キーとしては、十字キー２３以外に、ダイヤル、ローラ、トラックボール、タッチパネル等の入力装置を使用することができる。また、操作部９は機械的な構成に限らず、表示画面にアイコンで表示されたボタン等を操作するＧＵＩ(Graphical User Interface)を使用してもよい。
【００２４】
メニューキー２２は、例えば後述する画像効果の種類や、効果の種類等、種々のメニューの項目を表示させるようなときに使用される。また、決定キー２４（記憶指示部）は、ある処理を開始するためのトリガーキーとして使用されたり、選択肢を表示された場合にいずれかを選択するために使用されるキーとして使用される。
【００２５】
Ｅｘｉｆファイルフォーマットでは、Ｅｘｉｆ ＩＦＤの付属情報が規定されている。Ｅｘｉｆ ＩＦＤの付属情報には、撮影日時、撮影場所、画像データの構成等に関するタグが含まれている。撮影場所の情報は、ＧＰＳ(Global Positioning System)機能、オープンｉエリア（登録商標）のような携帯電話会社の提供するサービスを利用した位置情報取得技術等によって得ることができる。取得した位置情報は、内部記録媒体３又は外部記録媒体１１に保存される。内部記録媒体３又は外部記録媒体１１に保存されている画像の付属情報は、Ｅｘｉｆファイルフォーマットによって画像ファイル内に包括されている。
【００２６】
次に、本実施形態の編集処理について、図３の編集処理フローチャート及び図４〜図１１を参照しながら説明する。
【００２７】
図３において、ユーザは、まずメニューキー２２や十字キー２３等を操作して「画像効果」のメニュー（図示略）を選択し、画像効果（「エフェクト」とも呼ばれる。）を施したい画像を選択する（ステップＳ１）。本実施形態では、撮像直後の画像又は外部記録媒体１１に記録された画像のいずれも選択できるようにする。図４に示す例では、ＬＣＤ１３に複数のサムネイル画像が表示されており、ユーザが十字キー２３と決定キー２４を操作してその中の一つのサムネイル画像２５Ｓを選択する。
【００２８】
ＣＰＵ２は選択されたサムネイル画像２５Ｓを、図５に示すように、サムネイル画像２５Ｓを拡大した画像２５をＬＣＤ１３の全面に表示させる（ステップＳ２）。ここで、画像２５には「効果の種類」を選択するためのアイコン２６が表示される。勿論、サムネイル画像の一覧表示ではなく、一枚送りで一つ一つの画像をＬＣＤ１３に表示し十字キー２３を用いて切り替えて所望の画像が表示されたところで決定キー２４を押下するようにしてもよい。
【００２９】
次に、十字キー２３を操作して「効果の種類」のアイコン２６にカーソルを移動させ、「効果の種類」のアイコン２６を押下すると、ドロップダウンのような形式で画像効果の一覧が表示されるので、ユーザは表示された項目から所望の画像効果を選択する（ステップＳ３）。図６に、効果の種類の選択画面の一例を示す。効果の種類としては、例えば、ぼかし２６ａ及び白黒２６ｂのほか、モザイクなど種々の画像効果が採用できる。
【００３０】
ＣＰＵ２はユーザにより選択された画像効果を検出し、図７に示すように、ＬＣＤ１３の画像２５に重ね合わせて画像編集領域３１を表す枠３０を表示させる。ユーザは十字キー２３の各キーを操作して、まず画像２５のどの部分を編集したいのか、画像編集領域３１の位置を指定する（ステップＳ４）。画像編集領域３１の位置が予め設定されている場合、例えば画面中央部に画像編集領域を固定する場合には、ステップＳ４の処理は省略される。
【００３１】
図８に、画像編集領域３０の位置を指定する画面の一例を示す。例えば十字キー２３の左キー２３Ｌを押せば画像編集領域３１は左に移動し、さらに十字キー２３の上キー２３Ｕを押せば画像編集領域３１は上に移動する。画像編集領域３１の位置は、一例として画像編集領域３１を形成する枠３０の中心点３０ｃの画面に対する画素座標を検出することで求められる。枠３０で囲まれた画像編集領域３１に対して、上記ステップＳ３の処理で選択された画像効果が実施される。その周辺の画像非編集領域３１に対しては画像加工を実施しない。なお、本例では枠３０を円形としたがそれに限るものではなく、楕円や三角等種々の形状を適用できる。
【００３２】
図８に示した例では、円形の枠３０の中心点３０ｃの位置に基いて画像編集領域の位置を決定したが、画像編集領域３１の位置の基準は枠３０の頂上部でもよいし、あるいは多角形の枠の中心点や角などでもよい。なお、図８には枠３０の中心点３０ｃが表示されているが、画像の見やすさの観点から実際の画像には表示しないようにしてもよい。
【００３３】
次に、画像編集領域の大きさを設定する。図９に、画像編集領域３０の大きさ（範囲）を指定する画面の一例を示す。ズームキー２１を操作することにより、枠３０の大きさを任意の大きさに指定する（ステップＳ５）。例えばズームキー２１のテレキー２１Ｔを押せば枠３０の径は大きくなり、ワイドキー２１Ｗを押せば枠３０の径は小さくなる。このようにズームキー２１を使用することにより、画像編集領域３１の大きさの指定が、直感的で非常にわかりやすい操作性となる。
【００３４】
画像編集領域３１の範囲は、例えばズームキー２１を押し続けて枠３１が所望の大きさになった時点で離すことによって決定されるようにする。あるいは、ズームキー２１を１回押すごとに枠３０が一段階大きく（小さく）なって決定されるようにしてもよい。
【００３５】
画像編集領域の大きさの指定が終了すると、図１０に示すように、ＬＣＤ１３の画面２５にアイコンで表示された「効果の強さ」ボタン３３と、同じく「編集実行」ボタン３４が表示される。ここで、十字キー２３を操作してカーソルを「効果の強さ」ボタン３３に移動させ、決定キー２４を押下すると、図１１に示すような予め数段階に設定された効果の強さが表示される。ユーザは、十字キー２３を操作して数段階に区分された効果の強さの中から所望の効果の強さを選択する（ステップＳ６）。例えば十字キー２３によりカーソルを所望の効果の強さ例えば「＋１」に移動させて一定の無操作時間が経過後、自動的に決定されるようにすると、決定キー２４を押す手間が省略できて操作性がよい。
【００３６】
なお、上記ステップＳ４における十字キー２３による編集領域の位置指定が完了後に、図７において画像２５上に枠３０とともに「効果の強さ」ボタン３３を表示するようにしてもよい。この場合、十字キー２３によって画像２５に対する画像編集領域３１の位置が指定された後、画像効果の強さを段階的に調整するためのソフトキーが枠３０とともに画像２５に重ねてＬＣＤ１３に表示される。ユーザは編集領域の範囲指定を行う前に画像効果の強さを指定することもできるようになり、画像処理部４によって、ソフトキーを介した十字キー２３からの指示に基づいて画像編集領域３１に対して画像効果の強さが調整される。このように、十字キー２３に画像効果の種類を指定するキー機能及び画像編集領域の位置を指定するキー機能に加えて、画像効果の強さを指示するキー機能を割り当て、これらのキー機能を適宜切り替えることによって、デジタルスチルカメラ２０の限られた操作キーを効率よく利用することができ操作キー数の削減に寄与する。
【００３７】
図７〜図１１に示す画像効果の種類を選択した後のＬＣＤ１３において、画像２５の画像編集領域３１に対して画像効果が施された画像がリアルタイムで（即時性を持って）ＬＣＤ１３に表示される。この場合、ユーザが画像加工処理後の画像を確認しながら編集を行うことができるので、直感的でわかりやすい編集環境をユーザに提供できる。勿論、画像編集領域３１に対してリアルタイムの画像効果は実施せず、画像２５に枠３０の表示だけを行うようにしてもよい。
【００３８】
そして、効果の強さを指定した後、ユーザが十字キー２３を操作してカーソルを「編集実行」ボタン３４に合わせ決定キー２４を押下することにより、上記画像編集領域３１の画像加工が実行される。すなわち、決定キー２４からの信号を受信したＣＰＵ２の制御によって、内部記録媒体３から読み出された画像ファイルがメディア処理部１０を介して外部記録媒体１１に保存される（ステップＳ７）。ＣＰＵ２は、ステップＳ７の処理が終了したら編集処理を終了する。
【００３９】
図１２及び図１３は、それぞれ編集前のコスモスの画像表示例と編集後のコスモスの画像表示例を示すものである。この例では、画像効果としてぼかし加工を施している。コスモスは、筒状花（つつじょうか）と呼ばれるたくさんの小さな花が集まって形成されており、このような花の形を頭状花序（とうじょうかじょ）という。小花が集まって形成される全体を指して頭状花（とうじょうか）と呼ばれる。頭状花３５の周囲の花びらに見えるのは、筒状花が舌状花（ぜつじょうか）３６に変化したものである。図１２では、中央のコスモスに対してデジタルスチルカメラのフォーカスが合わせてあり、全体として中央のコスモス以外はピントがずれた状態である。これに対し、ぼかし加工が施された図１３のコスモスは、枠３７内部の頭状花３５とその周辺は未加工の画像であるが、枠３７の外側の画像編集領域についてはぼかし加工が施されてピントずれ以上にぼけた画像となっている。
【００４０】
以上説明したように、本発明の一実施形態によれば、デジタルスチルカメラ２０の画像編集機能での、画像編集領域の指定をズームキー２３で行うことにより、直感的でユーザにとり非常に分かりやすい操作性が実現できるので使い勝手が向上する。ズームキー２３は再生時に使用しないキーであり、画像編集以外の操作と干渉することなく実現可能である。
【００４１】
また、ひとつのキー（十字キー２３）に画像２５に対する画像効果指示機能と、画像編集領域位置指定機能と、画像効果の強さ指定機能の割り当てを適宜切り替えられる構成としたことにより、限られたスペースに設置される操作キーの削減に寄与する。
【００４２】
なお、上記実施形態においては、撮像装置の一実施形態についてデジタルスチルカメラを例に説明したが、これに限るものではなく、撮影部と録画部が一体化した所謂カムコーダなどにも適用できる。カムコーダに適用した場合には、静止画像又は動画像のいずれの画像編集にも本発明の編集方法を使用できる。さらには、撮像機能を具備した携帯端末装置等にも適用することが可能である。
【００４３】
また、上記実施形態において、ＬＣＤ１３に画像表示領域３１を表す枠３０を表示したが、この枠３０は必ずしも表示しなくてよい。例えば、枠３０の境界近傍の画像編集領域と画像非編集領域の差異が明確であれば、枠３０を表示せずとも画像効果が施された領域を容易に認識することできる。
【００４４】
また、上記実施形態では、画像編集領域３１と画像非編集領域３２を枠３０により区切っていたが（図７を参照）、これに限らず、例えば枠３０を開始位置として画像非編集領域３２に対し徐々に又は段階的に画像効果を施すようにしてもよい。
【００４５】
また、上述した実施形態例の機能を実現するソフトウェアのプログラムコードを記録した記録媒体を、システムあるいは装置に供給し、そのシステムあるいは装置のコンピュータ（またはＣＰＵ等の制御装置）が記録媒体に格納されたプログラムコードを読み出し実行することによっても、達成されることは言うまでもない。
【００４６】
また、本明細書において、ＲＯＭに記録されるプログラムを記述するステップは、記載された順序に沿って時系列的に行われる処理は勿論、必ずしも時系列的に処理されなくとも、並列的あるいは個別に実行される処理をも含むものである。
【図面の簡単な説明】
【００４７】
【図１】本発明の一実施形態に係る撮像装置のブロック構成例を示す図である。
【図２】本発明の一実施形態に係る撮像装置の操作パネルの一例を示す図である。
【図３】本発明の一実施形態に係る編集処理を示すフローチャートである。
【図４】本発明の一実施形態に係る編集画像を選択する画面の一例を示す図である。
【図５】本発明の一実施形態に係る像効果の種類を示すアイコンの表示例を示す図である。
【図６】本発明の一実施形態に係る効果の種類を選択する画面の一例を示す図である。
【図７】本発明の一実施形態に係る画像編集画面の表示例を示す図である。
【図８】本発明の一実施形態に係る画像編集領域の位置を指定する画面の一例を示す図である。
【図９】本発明の一実施形態に係る画像編集領域の大きさを指定する画面の一例を示す図である。
【図１０】本発明の一実施形態に係る効果の強さの示すアイコンの表示例を示すである。
【図１１】本発明の一実施形態に係る効果の強さを指定する画面の一例を示す図である。
【図１２】本発明の一実施形態に係る編集前の画像表示例を示す図である。
【図１３】本発明の一実施形態に係る編集（ぼかし）後の画像表示例を示す図である。
【符号の説明】
【００４８】
２…ＣＰＵ、３…内部記録媒体、４…画像処理部、６…ＲＧＢ処理部、７…信号処理部、９…操作部、１２…ＣＤＤ、１３…ＬＣＤ、２０…デジタルスチルカメラ、２１…ズームキー、２２…メニューキー、２３…十字キー、２４…決定キー、２５…画像、２６…効果の種類ボタン、２６ａ…ぼかし、２６ｂ…白黒、３０…枠、３１…画像編集領域、３２…画像非編集領域、３３…効果の強さボタン、３４…編集実行ボタン、３７…枠
【図１】
2008187381.tif 000003
【図２】
2008187381.tif 000004
【図３】
2008187381.tif 000005
【図４】
2008187381.tif 000006
【図５】
2008187381.tif 000007
【図６】
2008187381.tif 000008
【図７】
2008187381.tif 000009
【図８】
2008187381.tif 000010
【図９】
2008187381.tif 000011
【図１０】
2008187381.tif 000012
【図１１】
2008187381.tif 000013
【図１２】
2008187381.tif 000014
【図１３】
2008187381.tif 000015